(57)【特許請求の範囲】
【請求項１】
複数の貯蔵タンクから地中注入のための二酸化炭素が取り入れられるように複数個に分枝形成された多岐管部と、
入側は前記多岐管部と連通形成され、出側は地中管井に向かう注入配管と連結されて、前記多岐管部を通じて取り入れられた二酸化炭素を前記注入配管を通じて供給するように形成された分配チャンバー部と、
前記分配チャンバー部の内部に取り入れられた二酸化炭素の温度を調節する温度調節部と、
前記分配チャンバー部を通じて地中注入される二酸化炭素の流量及び油圧を調節する流量油圧調節部と、を含むが、
前記複数の貯蔵タンクの下側には、前記複数の貯蔵タンクの下段を囲むよう電熱保温器が設置され、前記電熱保温器は前記複数の貯蔵タンクの内に貯蔵された二酸化炭素が一定温度に維持できるように加熱し、
前記分配チャンバー部は、一定の厚さをなし、内部に前記多岐管部を通じて取り入れられた二酸化炭素が合流する空間が形成されるケーシングで形成され、前記ケーシングの厚さ部分には取り入れられた前記二酸化炭素を加熱して昇温調節する加熱部が内設されることを特徴とする、二酸化炭素地中注入のための圧力及び温度調節機能が向上した二酸化炭素分配装置。
【請求項２】
前記温度調節部は、
前記注入配管上に取り付けられて、前記分配チャンバー部から流出されて地中注入される二酸化炭素の温度を検出する温度センサーを含むことを特徴とする、請求項１に記載の二酸化炭素地中注入のための圧力及び温度調節機能が向上した二酸化炭素分配装置。
【請求項３】
前記温度調節部は、
前記温度センサーで検出された地中注入される二酸化炭素の温度を既設定された基準値と比較する温度比較部と、
前記基準値との比較を通じて前記加熱部により昇温されるべき二酸化炭素の温度補償値を算出する温度演算部と、
前記算出された温度補償値だけ前記分配チャンバー部の内部の二酸化炭素を昇温させるように前記加熱部の動作を制御する温度制御部と、
をさらに含むことを特徴とする、請求項２に記載の二酸化炭素地中注入のための圧力及び温度調節機能が向上した二酸化炭素分配装置。
【請求項４】
前記加熱部は、
誘導加熱器（induction heater）であることを特徴とする、請求項１に記載の二酸化炭素地中注入のための圧力及び温度調節機能が向上した二酸化炭素分配装置。
【請求項５】
前記流量油圧調節部は、
前記注入配管上に取り付けられて、地中注入される二酸化炭素の流量を検出する流量検出部と、
前記注入配管上に取り付けられて、地中注入される二酸化炭素の油圧を検出する油圧検出部と、
前記注入配管上に取り付けられて、前記分配チャンバー部から流出されて地中注入される二酸化炭素の流量及び油圧を調節するように備えられたバルブ部と、
を含むことを特徴とする、請求項１に記載の二酸化炭素地中注入のための圧力及び温度調節機能が向上した二酸化炭素分配装置。
【請求項６】
前記流量油圧調節部は、
前記流量検出部及び前記油圧検出部を通じて検出された二酸化炭素の流量及び油圧データを既設定された基準値と比較判断し、地中注入される二酸化炭素が適正油圧及び流量で供給できるように前記バルブ部の開閉動作を制御する流量油圧制御部と、
をさらに含むことを特徴とする、請求項５に記載の二酸化炭素地中注入のための圧力及び温度調節機能が向上した二酸化炭素分配装置。
【請求項７】
前記多岐管部の一側には、
複数の貯蔵タンクと配管を通じて連結形成されるように拡管形成されたソケットがさらに備えられることを特徴とする、請求項１に記載の二酸化炭素地中注入のための圧力及び温度調節機能が向上した二酸化炭素分配装置。
【請求項８】
前記複数の貯蔵タンク出側には、
前記分配チャンバー部に供給される二酸化炭素の流動を開閉調節するように備えられたストップバルブと、
前記分配チャンバー部に供給される二酸化炭素の油圧を検出するように備えられた圧力ゲージと、
がさらに備えられることを特徴とする、請求項１に記載の二酸化炭素地中注入のための圧力及び温度調節機能が向上した二酸化炭素分配装置。
【請求項９】
前記温度調節部及び前記流量油圧調節部を通じて具現される動作信号を有無線通信網を介してリアルタイムまたは時間帯別、あるいはユーザの要請がある度に転送するように備えられた通信インターフェースと、
前記通信インターフェースを介して転送を受けたデータを遠隔に位置したユーザの端末機に転送すると共に、ユーザから要請されたフィードバック指令の受信を受けて、前記通信インターフェースを介して前記温度調節部及び前記流量油圧調節部に指令を印加する統合サーバーと、
をさらに含むことを特徴とする、請求項１に記載の二酸化炭素地中注入のための圧力及び温度調節機能が向上した二酸化炭素分配装置。
【請求項１０】
前記統合サーバーは、
前記通信インターフェースを介して転送を受けたデータを別途の貯蔵媒体上に記録保管するように備えられたデータログ部を含むことを特徴とする、請求項９に記載の二酸化炭素地中注入のための圧力及び温度調節機能が向上した二酸化炭素分配装置。
【請求項１１】
前記統合サーバーを介して遠隔上のユーザに転送されるデータは、テキスト情報、画像情報、及び音声情報のうち、少なくとも１つの情報に変換されてユーザ端末機で受信可能な形態で転送されることを特徴とする、請求項９に記載の二酸化炭素地中注入のための圧力及び温度調節機能が向上した二酸化炭素分配装置。
【発明の詳細な説明】
【技術分野】
【０００１】
本発明は、二酸化炭素地中注入のための圧力及び温度調節機能が向上した二酸化炭素分配装置に関し、より詳しくは、二酸化炭素の地中注入に従う安定性を確保するために、二酸化炭素の圧力及び温度を最適制御すると共に、これを効果的に監視できる二酸化炭素地中注入のための圧力及び温度調節機能が向上した二酸化炭素分配装置に関する。
【背景技術】
【０００２】
二酸化炭素貯蔵技術には、地中貯蔵技術をはじめとして海洋貯蔵技術及び鉱物炭酸塩化技術などがある。このうち、海洋貯蔵技術（ocean storage technology）は、気体、液体、固体、または水化物状態で二酸化炭素を海洋や海底の底に貯蔵する技術であって、海洋生態系の破壊の虞及び長期的な二酸化炭素貯蔵に対する不安定性などの問題により現在まで本格的に試したことがない技術である。
【０００３】
また、鉱物炭酸塩化技術（mineral carbonation technology）は、二酸化炭素を主にカルシウムとマグネシウムなどの金属酸化物と化学的に反応させて、不溶解性の炭酸塩鉱物状態で二酸化炭素を貯蔵する技術であって、多量の反応エネルギーが要求されると共に、炭酸塩鉱物の貯蔵及び処理自体に環境問題を引き起こす虞があるところ、今までは実現し難い技術に属する。したがって、最近までは地中貯蔵技術が最も効果的な二酸化炭素貯蔵技術として評価されている。
【０００４】
地中貯蔵技術（geologic storage technology）は、陸上（または、海底）７５０〜１０００ｍ深度に存在する適合した地層（geologic formation）に二酸化炭素を貯蔵する技術をいう。深度に注入された二酸化炭素は超臨界流体状態で存在するので、挙動が非常にのろく、周辺の地層や地中の流体と反応して固着または溶解される。このような意味から地中貯蔵技術は、地中隔離技術（geologic sequestration technology）と呼ばれることもある。このような二酸化炭素地中貯蔵技術において、地下数Ｋｍ深さの地中貯蔵対象地層まで大深度試錐孔を安定的に試錐し、押圧装置などの注入施設を用いて、効果的で、かつ安定的に二酸化炭素を注入するためには、高圧注入のための地上設備の設計と運用、漏れ防止などが実現されなければならない。
【０００５】
特に、二酸化炭素注入時、温度及び圧力変化に従う二酸化炭素の相変化は重要な管理要素に該当する。したがって、地中注入時、二酸化炭素の温度及び圧力をより効果的に調節して分配できる装置に対する必要性が台頭されるところである。
【発明の概要】
【発明が解決しようとする課題】
【０００６】
ここに、本発明は上記した問題点を解決するために案出したものであって、二酸化炭素の地中注入時、圧力及び温度を最適に調節できる二酸化炭素分配装置を提供することをその目的とする。
【０００７】
また、本発明は上記の二酸化炭素分配装置を通じて地中注入される二酸化炭素の温度及び圧力を効果的に監視監督することができるモニターリング手段が備えられた二酸化炭素分配装置を提供することをその目的とする。
【課題を解決するための手段】
【０００８】
上記の技術的課題を達成するための本発明の態様によれば、複数の貯蔵タンクから地中注入のための二酸化炭素が取り入れられるように複数個に分枝形成された多岐管部と、入側は上記多岐管部と連通形成され、出側は地中管井に向かう注入配管と連結されて、上記多岐管部を通じて取り入れられた二酸化炭素を上記注入配管を通じて供給するように形成された分配チャンバー部と、上記分配チャンバー部の内部に取り入れられた二酸化炭素の温度を調節する温度調節部と、上記分配チャンバー部を通じて地中注入される二酸化炭素の流量及び油圧を調節する流量油圧調節部と、を含む二酸化炭素地中注入のための圧力及び温度調節機能が向上した二酸化炭素分配装置を提供する。
【０００９】
この際、上記温度調節部は、上記注入配管上に取り付けられて、上記分配チャンバー部から流出されて地中注入される二酸化炭素の温度を検出する温度センサーと、上記分配チャンバー部の外縁を覆いかぶせる形態で配置されて、上記分配チャンバー部の内部に取り入れられた二酸化炭素を加熱して昇温調節する加熱部と、を含むことが好ましい。
【００１０】
このような温度調節部は、上記温度センサーで検出された地中注入される二酸化炭素の温度を既設定された基準値と比較する温度比較部と、上記基準値との比較を通じて上記加熱部により昇温されなければならない二酸化炭素の温度補償値を算出する温度演算部と、上記算出された温度補償値だけ上記分配チャンバー部の内部の二酸化炭素を昇温させるように上記加熱部の動作を制御する温度制御部と、をさらに含むことができる。
【００１１】
ここで、上記加熱部は、誘導加熱器（induction heater）であることが好ましい。
【００１２】
また、上記流量油圧調節部は、上記注入配管上に取り付けられて地中注入される二酸化炭素の流量を検出する流量検出部と、上記注入配管上に取り付けられて、地中注入される二酸化炭素の油圧を検出する油圧検出部と、上記注入配管上に取り付けられて、上記分配チャンバー部から流出されて地中注入される二酸化炭素の流量及び油圧を調節するように備えられたバルブ部と、を含むことが好ましい。
【００１３】
このような流量油圧調節部は、上記流量検出部及び上記油圧検出部を通じて検出された二酸化炭素の流量及び油圧データを既設定された基準値と比較判断し、地中注入される二酸化炭素が適正油圧及び流量で供給できるように上記バルブ部の開閉動作を制御する流量油圧制御部をさらに含むことができる。
【００１４】
そして、好ましくは、上記多岐管部の一側には、複数の貯蔵タンクと配管を通じて連結形成されるように拡管形成されたソケットがさらに備えられることが好ましい。
【００１５】
また、上記複数の貯蔵タンクの下側には、上記複数の貯蔵タンクの内に貯蔵された二酸化炭素が一定温度に維持できるように加熱する電熱保温器がさらに備えられることができる。
【００１６】
併せて、上記複数の貯蔵タンクの出側には、上記分配チャンバー部に供給される二酸化炭素の流動を開閉調節するように備えられたストップバルブと、上記分配チャンバー部に供給される二酸化炭素の油圧を検出するように備えられた圧力ゲージと、がさらに備えられることが好ましい。
【００１７】
そして、好ましくは、上記温度調節部及び上記流量油圧調節部を通じて具現される動作信号を有無線通信網を介してリアルタイムまたは時間帯別、あるいはユーザの要請がある度に転送するように備えられた通信インターフェースと、上記通信インターフェースを介して転送を受けたデータを遠隔に位置したユーザの端末機に転送すると共に、ユーザから要請されたフィードバック指令の受信を受けて、上記通信インターフェースを介して上記温度調節部及び上記流量油圧調節部に指令を印加する統合サーバーと、をさらに含むことができる。
【００１８】
このような統合サーバーは、上記通信インターフェースを介して転送を受けたデータを別途の貯蔵媒体上に記録保管するように備えられたデータログ部を含むことができる。
【００１９】
この際、上記統合サーバーを介して遠隔上のユーザに転送されるデータは、テキスト情報、画像情報、及び音声情報のうち、少なくとも１つの情報に変換されてユーザ端末機における受信可能な形態で転送できる。
【発明の効果】
【００２０】
本発明の二酸化炭素地中注入のための圧力及び温度調節機能が向上した二酸化炭素分配装置によれば、二酸化炭素の分配時、その温度及び圧力を最適制御することによって、地中注入される二酸化炭素の安定した相変化が維持できるようにする有利な技術的効果がある。
【００２１】
また、本発明の二酸化炭素地中注入のための圧力及び温度調節機能が向上した二酸化炭素分配装置によれば、上記のような二酸化炭素の温度及び圧力制御に関する全ての情報をユーザにリアルタイムにモニターリングできるようにすることで、二酸化炭素の地中注入に関する効果的な管理監督が可能になる有利な技術的効果がある。
【図面の簡単な説明】
【００２２】
【図１】本発明の一実施形態に係る二酸化炭素地中注入のための圧力及び温度調節機能が向上した二酸化炭素分配装置を概略的に示す図である。
【図２】本発明の一実施形態に係る二酸化炭素地中注入のための圧力及び温度調節機能が向上した二酸化炭素分配装置において、地中注入される二酸化炭素の温度及び流量油圧調節機能を説明するために示す図である。
【図３】本発明の一実施形態に係る二酸化炭素地中注入のための圧力及び温度調節機能が向上した二酸化炭素分配装置に適用可能な遠隔モニターリング手段を示す図である。
【図４】図３に図示された実施形態における統合サーバーの細部構成を示すブロック図である。
【図５】本発明の一実施形態に係る二酸化炭素地中注入のための圧力及び温度調節機能が向上した二酸化炭素分配装置を二酸化炭素貯蔵用試錐孔に適用した形態を示す使用図である。
【発明を実施するための形態】
【００２３】
以下、本発明に係る二酸化炭素地中注入のための圧力及び温度調節機能が向上した二酸化炭素分配装置の好ましい実施形態について説明する。
【００２４】
本発明の利点及び特徴、そしてそれらを達成する方法は、添付の図面と共に詳細に後述されている実施形態を参照すれば明確になる。
【００２５】
しかしながら、本発明は以下に開示される実施形態により限定されるものでなく、互いに異なる多様な形態で具現され、単に、本実施形態は本発明の開示が完全であるようにし、本発明が属する技術分野で通常の知識を有する者に発明の範疇を完全に知らせてくれるために提供されるものであり、本発明は請求項の範疇により定義されるだけである。また、本発明を説明するに当たって、関連した公知技術などが本発明の要旨を曖昧にすることができると判断される場合、それに関する詳細な説明は省略する。
【００２６】
図１は本発明の一実施形態に係る二酸化炭素地中注入のための圧力及び温度調節機能が向上した二酸化炭素分配装置を概略的に示す図であり、図２は本発明の一実施形態に係る二酸化炭素地中注入のための圧力及び温度調節機能が向上した二酸化炭素分配装置において、地中注入される二酸化炭素の温度及び流量油圧調節機能を説明するために示す図であり、図３は本発明の一実施形態に係る二酸化炭素地中注入のための圧力及び温度調節機能が向上した二酸化炭素分配装置に適用可能な遠隔モニターリング手段を示す図であり、図４は図３に図示された実施形態における統合サーバーの細部構成を示すブロック図であり、図５は本発明の一実施形態に係る二酸化炭素地中注入のための圧力及び温度調節機能が向上した二酸化炭素分配装置を二酸化炭素貯蔵用試錐孔に適用した形態を示す使用図である。
【００２７】
このような図１乃至図５は、本発明の構成関係及び作用効果を概念的に明確に説明するために、その特徴部分のみを概略的に示す図であって、その結果、図解の多様な変形が予想され、図示された特定形態により本発明が制限される必要はない。
【００２８】
まず、図１を参照して本発明の好ましい実施形態に係る二酸化炭素地中注入のための圧力及び温度調節機能が向上した二酸化炭素分配装置の細部構成を説明する。
【００２９】
図１に示すように、本発明の好ましい実施形態に係る二酸化炭素分配装置は、貯蔵タンクから地中注入のための二酸化炭素が取り入れられるように複数配管が分枝形成された多岐管部１１０と、上記多岐管部１１０を通じて取り入れられた二酸化炭素を地中管井に連結される注入配管１２２を通じて供給するように形成された分配チャンバー部１２０と、上記分配チャンバー部１２０の内部に取り入れられた二酸化炭素の温度を調節する温度調節部１３０、及び上記分配チャンバー部１２０を通じて地中注入される二酸化炭素の流量及び油圧を調節する流量油圧調節部１４０を含む構成からなる。
【００３０】
まず、多岐管部１１０について説明する。多岐管部１１０は各々個別的に備えられた複数の貯蔵タンクＴから保管中の二酸化炭素を分配チャンバー部１２０の内側に統合移送できるように形成された配管部材をいう。このために、上記多岐管部１１０は互いに干渉が生じないように複列配置された多岐管（manifold）形態を有することが好ましい。ここでの複列配置に該当する管体の個数は複数の貯蔵タンクＴの個数に対応して設計されることが好ましく、図示された３個の管体の個数に本発明が制限される必要はない。言い換えると、各々個別的な場所で二酸化炭素を保管している複数の貯蔵タンクＴは、二酸化炭素の効果的な移送のために、貯蔵タンクＴの出側から各々区別された配管１１４が１つずつ連結形成されるが、このような配管１１４を介して分配移送された二酸化炭素を分配チャンバー部１２０の内部に合流させるための役割を上記多岐管部１１０が担うものである。
【００３１】
その上、このような多岐管部１１０は複数の貯蔵タンクＴから連結された配管１１４との締結便宜性のために、相互連結される一側部位で拡管形成されたソケット１１２をさらに具備することが好ましい。
【００３２】
ここで、複数の貯蔵タンクＴの上に備えられる構成を簡略に説明する。
【００３３】
複数の貯蔵タンクＴは二酸化炭素を臨時または一時的に保管する貯蔵容器をいい、所定の内部体積上に、より多量の二酸化炭素を保管し易い圧縮タンクのものが好ましい。
【００３４】
それぞれの貯蔵タンクＴの下側には、上記貯蔵タンクＴの内部に保管された二酸化炭素の温度状態を適正水準に維持可能であるように電熱保温器１１９が備えられることが好ましい。このような電熱保温器１１９に該当する具体的な例としては、外部電源Ｖｓの印加を受けて発熱機能を提供する誘導加熱コイル（induction heating coil）を用いることができる。
【００３５】
複数の貯蔵タンクＴのそれぞれの出側には、ストップバルブ１１６及び圧力ゲージ１１８がさらに備えられる。
【００３６】
このようなストップバルブ１１６は内部流動流体を開き／閉じ方式により調節することで、流体流動を管理する機能を有するバルブであって、複数の貯蔵タンクＴの各々から分配チャンバー部１２０に向けて移動する二酸化炭素の流動を開閉調節する。そして、圧力ゲージ１１８は複数の貯蔵タンクＴの各々から分配チャンバー部１２０に供給される二酸化炭素の油圧を検出する。
【００３７】
本実施形態での貯蔵タンクＴから流出される二酸化炭素の設定温度及び圧力は５０℃及び４０ｂａｒに定めたが、このような設定温度及び圧力は本発明が適用される実施条件及び環境などによって適切に任意選択可能である。
【００３８】
複数の貯蔵タンクＴに保管された二酸化炭素は、各々区別された配管１１４に沿って移動し、かつ上記多岐管部１１２を通じて分配チャンバー部１２０の内部で合流する。
【００３９】
分配チャンバー部１２０は、入側１２０ａは上記多岐管部１１０の出口開口と連通形成され、出側１２０ｂは地中管井、即ち試錐孔に向かう注入配管１２２と連結形成されて、多岐管部１１０を通じて取り入れられた二酸化炭素を注入配管１２２を通じて供給する機能を担う。
【００４０】
即ち、このような分配チャンバー部１２０は、多岐管部１１０を通じて複数の貯蔵タンクＴから取り入れられた二酸化炭素を統合し、これをまた出側の注入配管１２２を通じて地中管井に注入する二酸化炭素分配器の役割を遂行する。
【００４１】
より安定した二酸化炭素統合及び分配機能を遂行するために、上記分配チャンバー部１２０の外装は圧力容器形態のケーシング１２４を形成しており、上記分配チャンバー部１２０の外縁周りの上には後述する温度調節部１３０の細部構成である加熱部１３３が内蔵された形態からなることができる。このような加熱部１３３は分配チャンバー部１２０の内部の二酸化炭素を加熱してユーザが設定した温度まで昇温調節する機能を提供することができる。
【００４２】
次に、温度調節部１３０について説明する。
【００４３】
温度調節部１３０は、前述したように、分配チャンバー部１２０の内部に取り入れられた二酸化炭素の温度を調節する機能を担う。
【００４４】
このために、温度調節部１３０は地中注入される二酸化炭素の温度を検出する温度センサー１３１と、分配チャンバー部の内部に取り入れられた二酸化炭素を加熱して昇温調節する加熱部１３３、及び温度センサー１３１で検出された二酸化炭素の温度を比較し、昇温すべき二酸化炭素温度補償値を算出することは勿論、上記加熱部１３３を動作制御する制御器（図２の１３５）を含む構成からなることができる。
【００４５】
この際、上記制御器（図２の１３５）の構成は、図２の説明時に詳細に扱うようにし、ここでは、上記温度センサー１３１及び加熱部１３３の構成についてのみ詳細に説明する。
【００４６】
温度センサー１３１は、分配チャンバー部１２０の出側から連結されて地中管井に向かう注入配管１２２上に取り付けられ、上記注入配管１２２を通じて地中管井に向かって供給される二酸化炭素の実際温度を計測するセンシング手段である。このような温度センサー１３１の具体的な例には、多様なタイプの温度計が全て用可能である。
【００４７】
そして、加熱部１３３は、分配チャンバー部１２０の説明時に前述したように、分配チャンバー部１２０の外縁を覆いかぶせる形態に配置される。
【００４８】
このような加熱部１３３は、分配チャンバー部１２０の内部に取り入れられた二酸化炭素を一定昇温範囲内で加熱する機能を担うが、本実施形態での二酸化炭素維持温度は概略５０℃に定めることができるが、このような温度条件も本発明をあんまり制限しない。
【００４９】
加熱部１３０に利用可能な具体的な例には、外部電源（Ｖｓ）の印加を受けた後、抵抗列を発生させて分配チャンバー部１２０の内部の二酸化炭素を昇温調節可能な誘導加熱器（induction heater）が利用可能であるが、このような加熱部１３０の形態も本発明を限定せず、多様な実施形態毎にその形態を少しずつ異に適用してもよい。
【００５０】
このような温度調節部１３０を図２を参照してより具体的に説明する。
【００５１】
図２を参照すると、温度調節部１３０の構成に制御器１３５が含まれて、温度センサー１３１での二酸化炭素温度検出及び加熱部１３３の駆動が相互連動するように能動制御できることを確認することができる。
【００５２】
即ち、温度調節部１３０に追加構成される制御器１３５には、温度センサー１３１で検出された二酸化炭素の温度を既設定された基準値と比較する温度比較部１３６と、上記基準値との比較を通じて上記加熱部１３３により昇温されるべき二酸化炭素の温度補償値を算出する温度演算部１３７と、上記算出された温度補償値だけ上記分配チャンバー部１２０の内部の二酸化炭素を昇温させるように上記加熱部１３３の動作を制御する温度制御部１３８と、を含む。
【００５３】
ここで、“既設定された基準値”とは、ユーザが地中管井に注入して供給する二酸化炭素の温度を予め設定して置いた値を意味するものであって、万一、温度センサー１３１で検出された二酸化炭素の温度が基準値より低い場合には、その差に該当する温度補償値を上記加熱部１３３の動作を制御することによって昇温調節する。
【００５４】
このような温度比較部１３６、温度演算部１３７、及び温度制御部１３８の追加的な構成により、本発明の温度調節機能はより能動的に制御できる。
【００５５】
また、図１を参照して、流量油圧調節部１４０について説明する。
【００５６】
流量油圧調節部１４０は分配チャンバー部１２０を通じて地中注入される二酸化炭素の流量及び油圧を調節する機能を担う。
【００５７】
図示したように、流量油圧調節部１４０は、分配チャンバー部１２０を通じて地中注入される二酸化炭素の流量を検出する流量検出部１４１と、分配チャンバー部１２０を通じて地中注入される二酸化炭素の油圧を検出する油圧検出部１４３と、分配チャンバー部１２０を通じて地中注入される二酸化炭素の流量を開閉調節することは勿論、流動油圧まで調節するように備えられたバルブ部１４５、１４７と、を含む構成からなる。
【００５８】
ここで、流量検出部１４１及び油圧検出部１４３は、図１に示すように、全て注入配管１２２の上に備えられて、分配チャンバー部１２０を通じて流出される二酸化炭素の流量及び油圧を効果的に検出する形態からなることができる。但し、このような流量検出部１４１及び油圧検出部１４３の配置形態やはり、１つの好ましい実施形態に過ぎないものであり、本発明がこれに制限される必要はない。したがって、本発明が適用される位置、環境、及び多様な条件によって少しずつその実施形態が変わっても関係ない。
【００５９】
そして、上記流量検出部１４１は、通常の流量計を意味するものであって、多様に市販している商用の流量計を適用すれば良いし、併せて油圧検出部１４３やはり通常の油圧ゲージを意味するものであるので、これもまた商用の油圧ゲージを適用することができる。したがって、これに対する詳細な説明は省略する。
【００６０】
また、バルブ部１４５、１４７の実施形態においても、本発明はあまり制限される必要がない。即ち、図１に図示されたバルブ部１４５、１４７は、流量検出部１４１を基準に、前、後に各々区分設置された形態からなり、これとは異なり、図２に図示されたバルブ部１４５ａ、１４５ｂ、１４７は注入配管１２２の一部区間が二重配管に分枝形成されたそれぞれの管体上で図１の配置形態と異なる実施形態を有することを確認することができる。
【００６１】
このような流量油圧調節部１４０には、流量検出部１４１、油圧検出部１４３、及びバルブ部１４５、１４７を除いて、流量油圧制御部１４９の構成が追加的にさらに含まれることができる。
【００６２】
流量油圧制御部１４９の機能及び役割は図２を通じて詳細に確認することができる。
【００６３】
即ち、図示された流量油圧制御部１４９は、流量検出部１４１及び油圧検出部１４３を通じて検出された二酸化炭素の流量及び油圧データを既設定された基準値と比較判断し、地中注入される二酸化炭素が適正油圧及び流量で供給できるように、上記バルブ部１４５ａ、１４５ｂ、１４７の開閉動作を制御する。本実施形態における地中注入される二酸化炭素の設定圧力は４０ｂａｒであるが、このような設定圧力はユーザの設定によって少しずつ異に適用されても関係ない。
【００６４】
このような流量油圧制御部１４９は、流量検出部１４１及び油圧検出部１４３と、これと連動して開閉駆動するバルブ部１４５ａ、１４５ｂ、１４７の相互間の能動的な制御を可能にしてくれることで、より迅速で、かつ正確な条件への二酸化炭素分配機能を可能にしてくれる。
【００６５】
次に、図３及び図４を参照して、図３は本発明の好ましい実施形態に係る二酸化炭素地中注入のための圧力及び温度調節機能が向上した二酸化炭素分配装置に適用可能な遠隔モニターリング手段について説明する。
【００６６】
図３を参照すると、本発明の好ましい実施形態に係る二酸化炭素地中注入のための圧力及び温度調節機能が向上した二酸化炭素分配装置には、追加的に遠隔モニターリング手段がさらに適用できることが分かる。
【００６７】
即ち、図示したように、前述した温度調節部１３０及び流量油圧調節部１４０で検出された二酸化炭素の温度データ、流量データ、油圧データは勿論、それに従う加熱部１３３及びバルブ部１４５、１４７の動作に対する全ての信号は、通信インターフェース１５０を介して有無線通信網を用いて統合サーバー１６０に転送できる。
【００６８】
そして、統合サーバー１６０は、上記通信インターフェース１５０を介して転送を受けたデータを遠隔に位置したユーザの端末機［例：ユーザのＰＣ１７０、スマートフォン１７２］に転送すると共に、ユーザからフィードバックされた指令の受信を受けて上記通信インターフェース１５０を介して温度調節部１３０及び流量油圧調節部１４０に指令を印加する役割も遂行する。
【００６９】
併せて、このような統合サーバー１６０は、上記通信インターフェース１５０を介して転送を受けたデータを別途の貯蔵媒体上に記録保管するために、データログ部（図示せず）をさらに具備することもできる。
【００７０】
ここで、統合サーバー１６０を通じて遠隔上のユーザに転送されるデータは、テキスト情報、画像情報、及び音声情報のうちの少なくとも１つの情報に変換されてユーザ端末機［例：ユーザのＰＣ１７０、スマートフォン１７２］で受信可能な形態で転送できるので、二酸化炭素の分配工程における遠隔監視及び監督が便利になり、延いては、このような機能は二酸化炭素分配工程の体系的な統合管理に助けになる。
【００７１】
図５は、本発明の一実施形態に係る二酸化炭素地中注入のための圧力及び温度調節機能が向上した二酸化炭素分配装置を二酸化炭素貯蔵用試錐孔に適用した形態を示す使用図である。
【００７２】
図５を参照すると、本発明に係る二酸化炭素分配装置を通じて複数の貯蔵タンクＴの内に保管された二酸化炭素が多岐観１１０、分配チャンバー部１２０を通じて統合的に合流され、以後、温度調節部１３０及び流量油圧調節部１４０の役割に従って、適正温度及び圧力に維持された状態であって、地盤Ｇの下の地中管井に注入される形態を確認することができる。この際、試錐孔１０の上に固定されたパッカー２０により注入配管１２２は位置固定され、より安定的に二酸化炭素の地中注入が可能になる。
【００７３】
このように、本発明の二酸化炭素地中注入のための圧力及び温度調節機能が向上した二酸化炭素分配装置によれば、二酸化炭素の分配時、その温度及び圧力を最適制御することによって、地中注入される二酸化炭素の安定した相変化を維持するようにすることができ、二酸化炭素の地中注入過程で発生する全ての情報を遠隔の監督者がリアルタイムにモニターリングすることができるので、より効果的な管理監督が可能になる。
【００７４】
以上、本発明に係る二酸化炭素地中注入のための圧力及び温度調節機能が向上した二酸化炭素分配装置に関する好ましい実施形態について説明した。
【００７５】
前述し実施形態は全て例示的なものであり、限定的なものでないことと理解されるべきであり、本発明の範囲は前述した詳細な説明よりは後述する特許請求範囲によって表れ、その特許請求範囲の意味及び範囲、そしてその等価概念から導出される全ての変更または変形された形態が本発明の範囲に含まれることと解析されるべきである。
【符号の説明】
【００７６】
Ｔ    貯蔵タンク
１１０    多岐管部
１２０    分配チャンバー部
１３０    温度調節部
１４０    流量油圧調節部
１５０    通信インターフェース
１６０    統合サーバー
【図１】
0005840416.tif 000002
【図２】
0005840416.tif 000003
【図３】
0005840416.tif 000004
【図４】
0005840416.tif 000005
【図５】
0005840416.tif 000006